Podtech/llm-jp-corpus-v4-ja_patent huggingface dataset:
(57)【要約】【課題】コンピュータ等に接続して文字等を入力するためのキーボードにおいて、アルファベットの大文字と小文字を目視確認できるキーキャップを提供する。【解決手段】アルファベットの大文字および小文字を併記して表示しているアルファベット入力補助用キーキャップを、キーボード製造時に装着したり、既存のキーボードのキーやキーキャップを外して付け替える、もしくは、既存のキーの上から被せることで、キーボードのキーとして構成する。これにより、アルファベットを十分に理解できていない場合においても、適切に打鍵するキーを認識することができ、キーボードの操作性を高めることが可能になる。なお、アルファベットの読み方やＳＨＩＦＴキーと同時に打鍵した場合に入力される文字を併せて明確に表示することが望ましい。【選択図】図１
0003229038.tif 000002
【実用新案登録請求の範囲】
【請求項１】
コンピュータ等に接続して文字等を入力するためのキーボードにおけるキーキャップであって、表面にアルファベットの大文字および小文字を併記して表示されていることを特徴とし、アルファベットの大文字と小文字を目視確認可能としたキーキャップ
【請求項２】
前記のキーキャップの表面に、前記アルファベット文字の読み方がひらがなまたはカタカナで表示されていることを特徴とする請求項１記載のキーキャップ
【請求項３】
前記のキーキャップの表面に、ＳＨＩＦＴキーと同時に打鍵した場合に入力される文字を、図形または着色等を用いて明確に表示されていることを特徴とする請求項１または２記載のキーキャップ
【考案の詳細な説明】
【技術分野】
【０００１】
本考案は、コンピュータ等に接続して文字等を入力するためのキーボードにおけるキーキャップに関する。
【背景技術】
【０００２】
コンピュータ等に接続して文字等を入力するためのキーボードの表示に関する技術がいくつか知られている。例えば、個々のキーやボタンの表示内容が使用者のニーズと一致していない場合に、使用者の希望に沿った表示内容のシールを個々のキーやボタン等に貼り付けることにより、入力装置全体又はその一部の表示を変更可能とするシールが知られている（特許文献１参照）。
【０００３】
また、キーボードの個々のキーやボタン等に、キーを打鍵することによって入力されるアルファベット文字を大文字及び小文字で表記した、キーボードのキー貼付用シール及びキーボードのキー貼付用シールが印刷された印刷物が知られている（非特許文献１参照）。
【先行技術文献】
【特許文献】
【０００４】
【特許文献１】特開２００２−３６６２８０号公報
【非特許文献】
【０００５】
【非特許文献１】実願２０１９−０００４５３号公報
【考案の概要】
【考案が解決しようとする課題】
【０００６】
例えば、コンピュータ等に接続して文字等を入力するためのキーボードを用いて、アルファベット小文字の「ａ」を入力する際、キーキャップに表示された「Ａ」の文字を視認し、このキーを打鍵することで「ａ」が入力されることを認知した上で「Ａ」と表示されたキーを打鍵する。
【０００７】
しかしながら、幼稚園や小学校における教育では、最初に学習するアルファベットは大文字のみであり、小文字を学習していない期間がある。プログラミング教育の必修化により、小学校でコンピュータ等を活用してプログラミングを実施する際に、キーボードから文字を入力する機会があるが、アルファベットの小文字を入力する際に、どのキーを打鍵したらよいのかを判断できないという問題がある。
【０００８】
また、例えば「Ａ」と「ａ」が同じ「エー」と日本語表記される文字であることが、キーキャップの表示から明確に判断できないという問題もある。
【０００９】
このほか、ＳＨＩＦＴキーを押下しながら打鍵すると入力できる文字が「Ａ」か「ａ」かを判別できないという問題もある。
【００１０】
さらに、学校のコンピュータ教室等に設置されたコンピュータ等で使用するキーボードにおいては、使用頻度が高いために、シール形態の表示を貼った場合でもすぐに剥がれてしまうという問題もある。
【００１１】
１つの側面で、本考案はキーボードの個々のキーを打鍵した際に入力できるアルファベットの大文字と小文字を明確に表示することを目的とする。
【課題を解決するための手段】
【００１２】
上記目的を達成するために、開示のアルファベット入力補助用キーキャップが提供される。このアルファベット入力補助用キーキャップは、本体部と表示部を有している。
【００１３】
本体部は、キーボードの各キー装着部に取り付ける。表示部は、キーキャップ上面にアルファベットの大文字および小文字を併記して表示していることを特徴とする。
【００１４】
併せて、表示部に前記アルファベットの読み方がひらがなまたはカタカナが併記して表示していることを特徴としてもよい。
【００１５】
さらに併せて、ＳＨＩＦＴキーと同時に打鍵した場合に入力される文字を明確に表示していることを特徴としてもよい。
【考案の効果】
【００１６】
一態様では、アルファベットを十分に理解できていない場合においても、アルファベットの大文字と小文字および形態によっては読み方を目視で認識することにより、適切に打鍵するキーを認識することができ、キーボードの操作性を高めることが可能になる。
【図面の簡単な説明】
【００１７】
【図１】実施の形態のアルファベット入力補助用キーキャップを示す図である。
【考案を実施するための形態】
【００１８】
以下、実施の形態のアルファベット入力補助用キーキャップを、図面を参照して詳細に説明する。
＜実施の形態＞
図１は、実施の形態のアルファベット入力補助用キーキャップを示す斜視図である。
【００１９】
実施の形態のアルファベット入力補助用キーキャップ１は、本体部２と、表示部３を有している。
【００２０】
本体部２は、既存のキーボードのキーまたはキーキャップを外して付け替えることで、キーボードのキーとして構成される。もしくは、キーボード製造時から装着済みであったり、既存のキーボードのキーの上から被せて取り付ける形態でもよい。
【００２１】
表示部３には、アルファベット大文字表示部４とアルファベット小文字表示部５で構成される。もしくは、読み方表示部６が存在する形態でもよい。さらには、ＳＨＩＦＴキーを押した場合に表示される文字を明確に表示するＳＨＩＦＴ判別部７が存在する形態でもよい。なお、ＳＨＩＦＴ判別部７は、図形または着色等を用いて表示する。
【００２２】
表示部３上におけるアルファベット大文字表示部４とアルファベット小文字表示部５、読み方表示部６の位置関係は問わない。
【００２３】
以上、本考案のアルファベット入力補助用キーキャップを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【００２４】
また、本考案は、前述した各実施の形態のうちの、任意の２以上の構成（特徴）を組み合わせたものであってもよい。
【符号の説明】
【００２５】
１  アルファベット入力補助用キーキャップ
２  本体部
３  表示部
４  アルファベット大文字表示部
５  アルファベット小文字表示部
６  読み方表示部
７  ＳＨＩＦＴ判別部
【図１】
0003229038.tif 000003
(57)【要約】      （修正有）【課題】可搬型発電機の連続運転を可能にする燃料補給口用キャップを提供する。【解決手段】燃料補給口用キャップは、可搬型発電機の燃料補給口に取り付けられ、液面センサー６付き燃料供給ポンプ７と制御基板５で、複数の外部タンクを接続して連続して燃料を供給する燃料供給システムを内蔵した。【選択図】図１
0003229031.tif 000002
【実用新案登録請求の範囲】
【請求項１】
一般的な可搬型発電機の燃料補給口に取り付けられる液面センサー付き燃料供給ポンプと制御基板で複数のタンクを接続して連続して燃料を供給する制御装置を一体化した汎用型燃料供給システムを内蔵した燃料補給口用キャップ
【考案の詳細な説明】
【技術分野】
【０００１】  可搬型発電機に関する分野です。
【背景技術】
【０００２】  可搬型発電機はできるだけ小型化し、持ち運びが楽になるように考えられるので当然ですが、使われる燃料タンクは比較的小容量のものが一般的で、そもそも長時間運転には向いていません。
【考案の概要】
【考案が解決しようとする課題】
【０００３】  ところが最近は災害などで電気を必要とする時間が延びているので、可搬型発電機にも長時間運転のニーズが生まれています。ただし、単に燃料タンクを大型化するのではせっかくの可搬性が犠牲になります。複数本の外部タンクから連続して供給できるような装置が望まれています。
【課題を解決するための手段】
【０００４】  そこで可搬型発電機の燃料供給口に取り付けられる、液面センサーや制御基板などを内蔵した燃料供給キャップを取り付け、本体に一切手を加えることなく、燃料を外部から補給できる装置を考案しました。燃料供給口キャップに内蔵した液面センサーが燃料の減少を検知すると、内臓のポンプで外部タンクから燃料を吸い上げ、発電機の燃料タンクに燃料を追加する仕組みです。主なメーカーの給油口に合う交換式キャップを備えています。▲２▼のタンク吸入側、燃料排出側の各２箇所に逆止弁を備えており、ポンプの正逆転で外部タンク１−２を切り替えられ、消防法の適用範囲内の１９．５Ｌタンク２本を使って連続給油ができます。
【考案の効果】
【０００５】  この燃料供給装置を使うと、市販の可搬型発電機に一切手を加えることなく、キャップを嵌めかえるだけで、連続運転可能な発電機として使えるようになります。そのための操作も一切不要で発電機から電源さえ供給しておけば、その後は自動的に燃料が減れば外部タンクから補給されるようになります。また、外部タンクにワンタッチコネクタ付きの製品を使えば、複数のタンクを簡単に取り替えることができ、事実上燃料容量には制限がなくなります。
【図面の簡単な説明】
【０００６】
【図１】  可搬型発電機用汎用型燃料供給システム内蔵キャップ構成図
【産業上の利用可能性】
【０００７】  すでに可搬型発電機は１００万台以上もが市場にでており、日本での年間販売台数もおおむね１０万台を超えるような製品です。それらの製品に本装置をとりつけるだけで、性能はそのままで発電時間をほぼ制限が無いくらいに延長できます。これは単に汎用可搬型発電機の性能を高めるだけではなく、従来では使えなかった用途にまで広げられる可能性があり、産業上の利用可能性は非常に大きいと言えます。
【符号の説明】
【０００８】１  燃料供給装置上部ケース
２  燃料流入口逆止弁
３  燃料ホース接続口
４  機種別キャップ
５  制御用基板
６  燃料液面検知センサー
７  燃料用チューブポンプ
８  機種別キャップ用ストッパー
９  燃料供給装置下部ケース
【図１】
0003229031.tif 000003
【手続補正書】
【提出日】令和2年7月31日(2020.7.31)
【手続補正１】
【補正対象書類名】実用新案登録請求の範囲
【補正対象項目名】全文
【補正方法】変更
【補正の内容】
【実用新案登録請求の範囲】
【請求項１】
可搬型発電機の燃料補給口に取り付けられる、液面センサー付き燃料供給ポンプと制御基板で、複数の外部タンクを接続して連続して燃料を供給する燃料供給システムを内蔵した燃料補給口用キャップ
(57)【要約】      （修正有）【課題】その使用状態によって使用中にずれて、さらには足から抜けてしまうなどの問題を解決する靴下を提供する。【解決手段】靴下１の踵４の付近に切り込み５を設けて、該切り込み５によって切り込み５よりつま先７方向の底６の部分と切り込み５より口ゴム２方向のレッグ３の部分とを分離して、或いは、切り込み５を上布と下布とを重ね合わせた重ね合わせに変えて、該重ね合わせによって前記重ね合わせよりつま先７方向の底６の部分と口ゴム２方向のレッグ３の部分とを分離して、靴下１がレッグ３の部分に加わる底６方向に発生する張力を分断してレッグ３に伝わらないよう施したことによって、靴下１がずれて足から抜けないようにした。【選択図】図１
0003229035.tif 000002
【実用新案登録請求の範囲】
【請求項１】
靴下の踵の付近に切り込み或いは重ね合わせを設けて、前記切り込み或いは前記重ね合わせによって前記切り込み或いは前記重ね合わせよりつま先方向の底の部分と口ゴム方向のレッグの部分とを分離して、靴下が前記レッグの部分に加わる底方向に発生する張力を分断して前記レッグに伝わらないようにして、前記張力によって靴下がずれて足から抜けないように施した靴下である。
【考案の詳細な説明】
【技術分野】
【０００１】    本考案は、各種の靴下に関するものである。
【背景技術】
【０００２】    高齢化に伴い、特に足の冷え防止のために靴下を履いたまま就寝する者が多い。その際、就寝時には足の圧迫感をなくすためにゆるめの靴下を選ぶことが多い。しかし、その場合、就寝中に足を動かすことで生じる靴下と寝具との摩擦力によって靴下がずれて、さらには足から抜けてしまう問題がある。
また、赤ちゃん用靴下でも、激しい足の動きによる同様の問題がある。
また、抜けやすいパンプス靴下のようなものでは踵部にすべり止めを施したものがある。しかし、そのすべり止めも十分な効果が得られていない。
そこで、それらの問題を解決するために、靴下の踵の部分を切り取って穴を開けて、該穴から足の踵が外に出て、その穴の切り口が足の踵にフィットして止まるように施して、このように施されて踵の部分に穴が開けられた靴下が足の踵に止まるようにして、靴下がずれて足から抜けないようにした靴下が考案されている（下記特許文献１参照）。しかし、前記穴を設ける工程に負担を要する。
【先行技術文献】
【特許文献】
【０００３】
【特許文献１】実用新案登録第３２２３６２９号
【考案の概要】
【考案が解決しようとする課題】
【０００４】    従来の靴下は、その使用状態によっては使用中にずれて、さらには足から抜けてしまうなどの課題があった。また靴下に穴を設ける工程に負担を要する問題があった。
【課題を解決するための手段】
【０００５】    上記課題を解決するために、本考案は、靴下１の踵４の付近に切り込み５を設けて、切り込み５によって切り込み５よりつま先７方向の底６の部分と切り込み５より口ゴム２方向のレッグ３の部分とを分離して、靴下１がレッグ３の部分に加わる底６方向に発生する張力を分断してレッグ３に伝わらないようにして、前記張力によって靴下１がずれて足から抜けないように施した靴下１である。なお、切り込み５は、靴下を履き十分に開いて踵が出て挟まる状態で、底６の外面（底６側）を塞いでもよい。
或いは、切り込み５を上布と下布とを重ね合わせた重ね合わせに変えて、該重ね合わせによって前記重ね合わせよりつま先７方向の底６の部分と口ゴム２方向のレッグ３の部分とを分離して、靴下１がレッグ３の部分に加わる靴下１の底６方向に発生する張力を分断してレッグ３に伝わらないようにして、前記張力によって靴下１がずれて足から抜けないように施した靴下１である。
なお、本考案の靴下は、普通丈のものの他、ブーツソックスやパンプス或いはカバーソックス、さらには赤ちゃん用ソックスなどでもよく、特に限定しない。
【考案の効果】
【０００６】    靴下１の踵４の付近に切り込み５を設けて、該切り込み５によって切り込み５よりつま先７方向の底６の部分と切り込み５より口ゴム２方向のレッグ３の部分とを分離して、或いは、切り込み５を上布と下布とを重ね合わせた重ね合わせに変えて、該重ね合わせによって前記重ね合わせよりつま先７方向の底６の部分と口ゴム２方向のレッグ３の部分とを分離して、靴下１がレッグ３の部分に加わる底６方向に発生する張力を分断してレッグ３に伝わらないよう施したことによって、靴下１がずれて足から抜けないようになった。また、踵４部分に穴を設けたものに比べ、特に切り込み５を設ける工程が容易でその負担軽減が図られる。
【図面の簡単な説明】
【０００７】
【図１】  本件考案の靴下の一実施例を示す斜視図である。
【図２】  本件考案の靴下の一実施例を示す裏面図である。
【符号の説明】１  靴下
２  口ゴム
３  レッグ
４  踵
５  切り込み
６  底
７  つま先
【図１】
0003229035.tif 000003
【図２】
0003229035.tif 000004
(57)【要約】      （修正有）【課題】簡単に布を固定できる刺繍枠と刺繍台を提供する。【解決手段】刺繍枠は、額状の枠１に沿って巡回状に溝２〜５を設け，溝にオーガンジーなどの刺繍をする布を乗せ、溝の幅に合致し、高さが溝の深さの２倍程度の角材２’〜５’（木製に限らない）をハンマー用のもので軽く打ち付けて、溝全体にはめ込み、布が緩まぬように固定する。刺繍台は、あらかじめ前述と同じ形状の枠を作成し、脚を付け、前述と同様に布を固定する。【選択図】図１
0003229036.tif 000002
【実用新案登録請求の範囲】
【請求項１】
額状の枠に沿って巡回状に溝を設ける。
溝にオーガンジーなどの刺繍をする布を乗せ、その溝に溝の幅に合致し、高さが溝の深さの２倍程度の角材（木製に限らない）をハンマー用のもので軽く打ち付けて、溝全体にはめ込み、布が緩まぬように固定する。
あらかじめ前述と同じ形状の枠を作成し、脚を付ける。
前述の布を固定した刺繍枠から出ている角材を、脚が付いた刺繍台の溝にはめ込み固定する。
この場合もハンマー用のもので軽く打ち付けて固定する。
角材だけで簡単に布が固定される刺繍枠と刺繍台である。
【考案の詳細な説明】
【技術分野】
【０００１】本考案は、額状の枠に沿って巡回状に溝を設け、角材（木製に限らない）で簡単に布を固定する刺繍枠と刺繍台に関するものである。
【背景技術】
【０００２】刺繍をする場合は、刺繍枠を使用するが、布と刺繍枠に複雑に糸を巻いたり、綿テープに布を縫い付けたり、布を巻き付けたりしていた。また、従来のものは使用者が布をセットしたり使用したりする場合に手が触れる部分に金属やゴムなどが使われていることが多い。脚の付いた刺繍台は、場所を取り、保管場所に困ることがある。
【先行技術文献】
【特許文献】
【０００３】
【特許文献１】特開２０１３−２３１２４３
【非特許文献】
【０００４】
【非特許文献１】
【考案の概要】
【考案が解決しようとする課題】
【０００５】大きな刺繍枠に布を張るには、時間と労力が必要になる。さらに、布が緩んでも張り直したり、緩みを取ることが無理な場合もある。したがって、簡単に布が張れ、しっかりと固定され、張り直しも簡単にできるように、前述の欠点を解決しようとするものである。
また、使用者が布をセットする手順や使用において、手に触れる部分には金属やゴムなどがないため、アレルギーも解決しようとするものである。
脚が付いたままの刺繍台を保管するには場所が必要だが、刺繍枠の部分が簡単に外せることで解決しようとするものである。
【課題を解決するための手段】
【０００６】本考案は、額状の枠に沿って巡回状に溝を設け、枠に布を乗せ、その溝に溝の幅に合致し、高さが溝の深さの２倍程度の角材（木製に限らない）をはめ込むことで、布が簡単に固定されることにより問題点を解決している。
また、刺繍枠と刺繍台は、簡単に取り外せるため、同時に何種類かの刺繍を進めたい場合も刺繍枠だけを購入すればよく、保管場所の問題を解決している。
【考案の効果】
【０００７】上述のように、本考案の刺繍枠及び刺繍台は、溝の幅に合致し、高さが溝の深さの２倍程度の角材（木製に限らない）をはめ込むだけという簡単な手順で布を固定でき、布を張る時間の短縮と布の緩みがないことによる作業効率アップに役立つ。また、枠と台を外して使用することもでき、脚付きの刺繍台を何本も用意する必要がないため、保管スペースの縮小にも役立つ。
さらに、使用者がセットする手順や使用において、手が当たる部分には金属やゴムを使用していないのでアレルギーも起きにくい。
【図面の簡単な説明】
【０００８】
【図１】本考案の刺繍枠の図である。
【図２】本考案の刺繍台の図である。
【図３】本考察の刺繍枠と刺繍台をセットした図である。
【考案を実施するための形態】
【０００９】刺繍枠に布を固定し、刺繍台にはめ込めば、緩むことも少なくすぐに刺繍をすることが可能である。また、布が緩んだとしても、刺繍台から簡単に刺繍枠を外し、角材を外して、布を引きながら角材を再度はめ込めば、また緩みなく布を固定することができる。
【実施例】
【００１０】以下、添付図面に従って実施例を説明する。
１は額状の枠である。これは、溝が設けられる厚さのある額状の形態のものであればよい。
２〜５は、１に溝を設けたものである。
２‘〜５’は、前述２〜５の溝の幅に合致し、高さが溝の深さの２倍程度の角材（木製に限らない）である。
溝を設けた１に布を乗せ、２〜５の溝に２‘〜５’の角材をはめ込んで固定する。
溝のサイズ、角材のサイズは、１の枠の大きさ、厚さによって変更。【００１１】６〜１０‘までは前述１〜５’までと同様の仕様である。
１１〜１４は、市販の家具脚または自作の家具脚である。
１１‘〜１４’は、１１〜１４までの家具脚を付けるアジャスターベースである。
１１‘〜１４’を刺繍枠にネジで固定し、１１〜１４をねじ込んで固定する。【００１２】［００１０］の刺繍枠のはめ込んだ角材の出ている部分を［００１１］の溝にはめ込み固定する。
【符号の説明】
【００１３】  １刺繍枠本体
２刺繍枠の溝
３刺繍枠の溝
４刺繍枠の溝
５刺繍枠の溝
３’刺繍枠の溝にはめ込む角材
４’刺繍枠の溝にはめ込む角材
５’刺繍枠の溝にはめ込む角材
６刺繍台本体
７刺繍台の溝
８刺繍台の溝
９刺繍台の溝
１０刺繍台の溝
６’刺繍枠の溝にはめ込む角材
７’刺繍枠の溝にはめ込む角材
８’刺繍枠の溝にはめ込む角材
９’刺繍枠の溝にはめ込む角材
１０’刺繍枠の溝にはめ込む角材
１１家具脚
１２家具脚
１３家具脚
１４家具脚
１１’アジャスターベース
１２’アジャスターベース
１３’アジャスターベース
１４’アジャスターベース
【図１】
0003229036.tif 000003
【図２】
0003229036.tif 000004
【図３】
0003229036.tif 000005
(57)【要約】      （修正有）【課題】収納や運搬時に便利であるとともに、現地で簡単にセットして貯水することのできる貯水用袋体を提供する。【解決手段】非通水性素材にて上部開放の袋体１を設け、該袋体の上部四隅に所定幅と深さの切除部２を設け、袋体上部の非切除部を外方もしくは内方に所定距離を折り返して、この折り返し箇所の端部を袋体に固定してなる環状部３を形成し、該環状部内にゴムベルト４を挿通一周させた。【選択図】図１
0003229033.tif 000002
【実用新案登録請求の範囲】
【請求項１】
非通水性素材にて上部開放の袋体を設け、該袋体の上部四隅に所定幅と深さの切除部を設け、袋体上部の非切除部を外方もしくは内方に所定距離を折り返して、この折り返し箇所の端部を袋体に固定してなる環状部を形成し、該環状部内にゴムベルトを挿通一周させたことを特徴とする貯水用袋体。
【請求項２】
ゴムベルトに代えて紐を用いてなる請求項１記載の貯水用袋体。
【請求項３】
袋体上部に持ち手を設けてなる請求項１または２記載の貯水用袋体。
【考案の詳細な説明】
【技術分野】
【０００１】  この考案は、上部開放のケースなどにかぶせて貯水するための貯水用袋体に関する。
【背景技術】
【０００２】  従来より、種々の袋体が多用されているが、上記のようにケースなどにかぶせて貯水するものは見当たらない。
【考案の概要】
【考案が解決しようとする課題】
【０００３】  貯水用の物品としては、以前より多種多様なものが出回っており、ポリタンクなどはその一例である。災害時における避難場所では水は必須で、飲料以外に洗い物などをするときなどでは一般にポリバケツなどが用いられている。しかし、バケツはその大きさが限られるとともにその形状が決まっているため、その運搬や収納にかさばるものである。
本案は以上に鑑み、コンパクトに折りたたんで収納や運搬ができ、使用時は箱やケースにかぶせて広げて用いることのできる、新規かつ有用なる物品を提供することを目的として発案されたものである。
【課題を解決するための手段】
【０００４】  課題を解決する手段として本案は以下の構成とした。すなわち、
非通水性素材にて上部開放の袋体を設け、該袋体の上部四隅に所定幅と深さの切除部を設け、袋体上部の非切除部を外方もしくは内方に所定距離を折り返して、この折り返し箇所の端部を袋体に固定してなる環状部を形成し、該環状部内にゴムベルトを挿通一周させる。本案は以上の構成よりなる貯水用袋体である。
【考案の効果】
【０００５】  本案は以下の効果を有する。
１．貯水用の袋体であるために、柔軟性を有して不使用時はコンパクトに折りたたんで収  納運搬ができる。
２．ゴムベルトを用いており、袋体上部に切除部を設けているので、ケース上部にしっか  りと保持させることができる。
３．ケースを折りたたみ可能とすれば、このケース自体の収納スペースが小さくて済み、  またその運搬も容易である。
４．袋体に持ち手を設けると、水以外の他物品を容易に運搬することができる。
【図面の簡単な説明】
【０００６】
【図１】本考案の正面図
【図２】ケースの平面図
【図３】ケースの正面図
【図４】本考案の使用説明図
【図５】本考案の使用説明図
【図６】本考案の変化例説明図
【図７】本考案の装着状態説明図
【考案を実施するための形態】
【０００７】  以下、本考案の実施形態について説明する。
図において、１は軟質合成樹脂による上部開放非通水性の袋体で、所定幅と深さの平面視略四角形状である。（説明のためにゴムの引張力を無視して表現したが、実際には図１の二点鎖線で示すように袋体上部はすぼまった形状となる）２は上記袋体の上端四隅に形成される所定幅と深さの角形の切除部、３は袋体の非切除部の上端を外方もしくは内方に折り返してその端部を袋体に固着してなる環状部、４は平ゴムによる環状のゴムベルトで、このゴムベルトは上記環状部内に挿通されて上記袋体の上部を一周している。１０は市販の折りたたみタイプのケースで、合成樹脂製であり、上部開放有底である。
折りたたむと略平板状となる。以上が本案の一実施形態である。
【０００８】  次ぎに、本案の使用について説明する。
１．ケースを引き起こして立体形状とする。
２．本案の袋体上部をゴムベルト引張力に逆らって押し広げ、ケース内に挿入するととも  に、広げた袋体上部を折り返してケース上部に装着する。
以上にて、図４のごとく、袋体はケースに押圧保持される。この装着された袋体に水を投入して貯水することができる。袋体底部はケース内底部に接触しているので、水重量を支えることができる。使用後は上記と逆手順にて、コンパクトに保管することができる。
【０００９】  図６は、本案の変化例を示すもので、既述の袋体に持ち手１１を付加したものである。
この持ち手は、布体等の強度を有する素材にて略長楕円形のベルト状に形成したものである。その両端近傍は略半円形として袋体上端より上方突出し、その他の部分は袋体側面から底部を通って他方の側面に固着にて至っている。そのために、収納物品重量はこの持ち手で受けることとなるので、袋体の損傷を防ぐことができる。
【００１０】  以上、本案について説明したが、本案は貯水用物品として、運搬保管時のコンパクト性と使用時の容易性の双方を有するものである。本案はその上部四隅に切除部を設けており、従って袋体上部には四片長方形状舌片部が形成されるために、併用するケースサイズに所定範囲内にて対応することができる。この舌片部の固定は既述例では固着としたが、溶着や縫着もしくは粘着などを用いてもよい。
なお、既例では袋体素材に軟質合成樹脂を用いたが、非通水性と柔軟性を有するものであれば他の素材を用いてもよい。また、ゴムベルトに代えて紐を用いてもよく、この場合は紐の一端を引き絞って結ぶことが必要である。
用途としては、避難所やキャンプでの貯水用、家庭でのペット洗浄用、幼児の夏期水遊び用など種々に利用することができる。さらに、持ち手を設けることにて水や本案に用いるケースなど水以外の他物品の運搬用としても利用することができる。ケースサイズは任意であり、大きな袋体とケースを用いればより多くの貯水が可能である。
以上のごとく、本案によって新たな貯水手段を得ることができる。
【符号の説明】
【００１１】  １  袋体
２  切除部
３  環状部
４  ゴムベルト
１０  ケース
１１  持ち手
【図１】
0003229033.tif 000003
【図２】
0003229033.tif 000004
【図３】
0003229033.tif 000005
【図４】
0003229033.tif 000006
【図５】
0003229033.tif 000007
【図６】
0003229033.tif 000008
【図７】
0003229033.tif 000009
(57)【要約】      （修正有）【課題】ワイングラス、シャンパングラス及びビールグラスのグラス外周壁に付着した水滴がテーブルを汚すことを防ぐ珪藻土コースター付グラスを提供する。【解決手段】珪藻土コースター付グラスはワイングラス０１、シャンパングラス及びビールグラスに珪藻土のプレート０２を装着したもので、グラス外周壁に付着した水滴がテーブルを汚すことなくプレート０２に吸収され、飲料用グラスとしての性能を高めることができる。【選択図】図１
0003229032.tif 000002
【実用新案登録請求の範囲】
【請求項１】
ボウル、ステム、プレートで構成されるワイングラスであり、前記ステムに珪藻土のプレートを接着し、水滴を直接吸収させるコースター機能とワイングラスを兼ね備えたことを特徴とするワイングラス。
【請求項２】
ボウル、ステム、プレートで構成されるシャンパングラスであり、前記ステムに珪藻土のプレートを接着し、水滴を直接吸収させるコースター機能とシャンパングラスを兼ね備えたことを特徴とするシャンパングラス。
【請求項３】
グラスの底部分に珪藻土を接着し、水滴を吸収させるコースター機能とグラスを兼ね備えたことを特徴とするビールグラス。
【考案の詳細な説明】
【技術分野】
【０００１】  本案は、ワイングラス、シャンパングラス及びビールグラスの底部に珪藻土コースターを設けた、コースター付飲料用グラスに関するものである。
【背景技術】
【０００２】  従来のワイングラス、シャンパングラス及びビールグラス等の飲料用グラスの外周壁に付着した水滴がそのままグラスを置いたテーブル上に滴り落ちていた。また、上述した水滴がテーブル上を濡らすことを避けるためにテーブルとグラスの間にコースターを介在させ、コースターに水滴を吸収させていた。
【考案の概要】
【考案が解決しようとする課題】
【０００３】飲料用グラスの外周壁に付着した水滴がテーブルを汚す。【０００４】飲料用グラスとコースターを使用する際は必ず同じ時同じ場所で使用されるが、従来は別々のものとして管理されている。【０００５】濡れた飲料用グラスの底面にコースターが接着し、グラスを持ち上げる際にグラスについてきてしまう。また、その際に持ち上げられたコースターが途中で落ちる場合がある。【０００６】コースターを使用するごとに飲料用グラスと接触する表面がこすれ、コースター本体に黒い汚れ痕がつく。
【課題を解決するための手段】
【０００７】飲料用グラスとコースターを一体化させることで、管理するもの個数を減らす。【０００８】飲料用グラスの底部に珪藻土を使用し、飲料用グラス外周壁に付着した水滴がテーブルを濡らすことを防ぐ。
【考案の効果】
【０００９】上述の様に、本考案の珪藻土コースター付グラスは、見た目のシンプルさに加え、ものの管理を簡略化させ日々の生活におけるストレス解消の一つの手立てとなる。【００１０】底部珪藻土の給水効率が弱くなった場合でも、珪藻土の表面をヤスリ等で削れば吸水効率を復活させることができる。加えて布やコルクに比べて頑丈な素材であるため、飲料等グラスとコースターの使用寿命の差異を気にすることなく長く使用できるグラスとなる。【００１１】グラス本体底部の重みがあることで飲料用グラス全体の安定感が増す。
【図面の簡単な説明】
【００１２】
【図１】本考案のコースター付ワイングラス
【図２】本考案のコースター付シャンパングラス
【図３】本考案のコースター付ビールグラス
【符号の説明】
【００１３】  ０１  ワイングラス
０２  珪藻土によるプレート部
０３  シャンパングラス
０４  ビールグラス
０５  珪藻土によるプレート部
【図１】
0003229032.tif 000003
【図２】
0003229032.tif 000004
【図３】
0003229032.tif 000005
(57)【要約】      （修正有）【課題】クレーン作業許可の「視える化」を行うことで、張出幅の未確認での作業を防止でき、安全に作業を完了することができるアウトリガー張出幅確認旗を提供する。【解決手段】旗本体４を囲む旗枠１の下部にねじ込み式のホルダー２を備え、ホルダー２の下面に磁石３が取り付けられて、クレーン車のアウトリガー部に取りつけられるクレーン作業許可の確認旗を備え、アウトリガー張出幅の確認後に確認旗を設置する。【選択図】図１
0003229022.tif 000002
【実用新案登録請求の範囲】
【請求項１】
旗本体を囲む旗枠の下部にねじ込み式のホルダーを備え、ホルダーの下面に磁石が取り付けられて、クレーン車のアウトリガー部に取りつけられるものとしたクレーン作業許可の確認旗を備え、アウトリガー張出幅の確認後に確認旗を設置することを特徴とするアウトリガー張出幅確認旗。
【請求項２】
旗枠は略三角形であることを特徴とする請求項１に記載のアウトリガー張出幅確認旗。
【請求項３】
旗本体には、「アウトリガー張出幅確認ＯＫ」と記載されていることを特徴とする請求項１または２に記載のアウトリガー張出幅確認旗。
【考案の詳細な説明】
【技術分野】
【０００１】
本考案は、クレーン作業時のアウトリガー張出幅が適切に行われているか確認用のアウトリガー張出幅確認旗に関する。
【背景技術】
【０００２】
建設機械のアウトリガーとは、クレーン車や高所作業車などでアームを伸ばしたり物を吊ったりする際に、車体横に張出して接地させることで車体を安定させる装置である。作業時はアームの伸長前に、しっかり張り出して車体が水平になるように固定する。転倒事故防止のため、これらの機械や車両の作業時にはアウトリガーを展開することが日本の法令上で義務づけられている。
【０００３】
従来では、例えば特許文献１として、アウトリガー、クレーン作業時の安全装置が技術思想として存在する。
【先行技術文献】
【特許文献】
【０００４】
【特許文献１】実開昭６０−３０１９０号公報
【考案の概要】
【考案が解決しようとする課題】
【０００５】
しかしながら、上記した特許文献１の場合、クレーン作業において、アウトリガー張出幅の確認をしたかどうか、現場従事者でないと分からなかった。すなわち、アウトリガーの張出確認をしたかどうかが見えないため、非常に危険であった。
【０００６】
そこで、本考案は叙上のような従来存した諸事情に鑑み創出されたもので、クレーン作業許可の「視える化」を行うことで、張出幅の未確認での作業を防止でき、安全に作業を完了することができるアウトリガー張出幅確認旗を提供することを目的とする。
【課題を解決するための手段】
【０００７】
上述した課題を解決するために、本考案に係るアウトリガー張出幅確認旗にあっては、旗本体を囲む旗枠の下部にねじ込み式のホルダーを備え、ホルダーの下面に磁石が取り付けられて、クレーン車のアウトリガー部に取りつけられるものとしたクレーン作業許可の確認旗を備え、アウトリガー張出幅の確認後に確認旗を設置することを特徴とする。
【０００８】
旗枠は三角形であることを特徴とする。
【０００９】
旗本体には、「アウトリガー張出幅確認ＯＫ」と記載されていることを特徴とする。
【考案の効果】
【００１０】
本考案によれば、アウトリガー張出幅確認旗を使用し、クレーン作業許可の「視える化」を行ったことで、張出幅未確認での作業を防止でき、安全に作業を完了することができる。
【図面の簡単な説明】
【００１１】
【図１】本考案を実施するための一形態におけるアウトリガー張出幅確認旗の全体正面図である。
【図２】クレーン車の作業半径揚程図である。
【図３】アウトリガー張出幅確認旗の設置態様を示す斜視図である。
【図４】本実施形態の他例におけるアウトリガー張出幅確認旗の全体正面図である。
【考案を実施するための形態】
【００１２】
以下、図面を参照して本考案の実施の一形態を詳細に説明すると、図において示される符号１は、本考案に係るアウトリガー張出幅確認旗Ｐを構成する三角形の旗枠であり、この旗枠１は例えばプラスチック材によって形成されている。
【００１３】
図１、図２、図３に示すように、旗枠１の三角形に枠組みされた一辺の端部（下部）には、ねじ込み式のホルダー２を備え、このホルダー２の下面に磁石３が取り付けられて、クレーン車Ｑのアウトリガー部Ｒの上端に磁着により取りつけられるように構成する。
【００１４】
このアウトリガー部Ｒは、クレーン車Ｑの重心位置が大きく移動する場合、実質的な底辺の長さを増す目的で使用される。そして、旗枠１内には、例えば赤色、黄色等に施色され、「アウトリガー張出幅確認ＯＫ」と記載された旗本体４が取り付けられていて、アウトリガー張出幅の確認後に、問題がなければクレーン作業許可のアウトリガー張出幅確認旗Ｐを設置する（図２、図３参照）。
【００１５】
アウトリガー部Ｒは、油圧などの動力でクレーン車Ｑに対し、少なくとも両サイドの二箇所に真横に張出すものが多いが、Ｘ字になるように展開させるものもあり、このとき、接地させるための上下動作は油圧などの動力である。
【００１６】
また、軟弱地盤での作業や、アウトリガー部Ｒに大きな荷重が掛かることが予想される場合、接地面積を増し、面圧を下げ、地面の陥没を防ぐために鋼板（図示せず）を敷く必要がある。
【００１７】
このようなアウトリガー部Ｒには、例えば赤色、黄色等に施色され、「アウトリガー張出幅確認ＯＫ」と記載されたアウトリガー張出幅確認旗Ｐを設置する（図２、図３参照）。
【００１８】
図４は、本実施形態の他例におけるアウトリガー張出幅確認旗を示すもので、本例では、略三角形のアクリル板に「クレーンアウトリガー、点検ＯＫ、０災害」と書かれたアウトリガー張出幅確認旗Ｐの一辺をポール５に固着し、ポール５の下端にはホルダー２を備え、このホルダー２の下面に磁石３が取り付けられている。また、ホルダー２上側のポール５下端側には、安全用のロープ（図示せず）を取り付けるためのフック６を備えている。本例においても本実施形態と同じ作用効果を有する。
【００１９】
次に、以上のように構成された形態についての使用の一例について説明すると、先ず、図２に示すように、クレーン車Ｑの作業半径が大きくなるのに従って、クレーン車Ｑの重心位置が前方に大きく移動する。
【００２０】
このとき重心位置の前方への移動に伴って、アウトリガー部Ｒが大きく前方に張出し設置されることで、車体の安定が保たれる。そして、アウトリガー部Ｒの張出幅の確認後に、問題がなければクレーン作業許可の確認旗がアウトリガー部Ｒの上端に設置される。
【００２１】
以上、説明したように、本実施形態では、アウトリガー張出幅確認旗Ｐを使用し、クレーン作業許可の「視える化」を行ったことで、張出幅未確認での作業を防止でき、安全に作業を完了することができる。
【符号の説明】
【００２２】
Ｐ…アウトリガー張出幅確認旗
Ｑ…クレーン車
Ｒ…アウトリガー部
１…旗枠
２…ホルダー
３…磁石
４…旗本体
５…ポール
６…フック
【図１】
0003229022.tif 000003
【図２】
0003229022.tif 000004
【図３】
0003229022.tif 000005
【図４】
0003229022.tif 000006
(57)【要約】【課題】  コンパクトで携帯性に優れ、ドアを開閉させるための取っ手等の握持対象に直接接触せずに利用できる非接触握持具を提供する。【解決手段】  非接触握持具１は、棒状体２と該棒状体２の一端に備わる円筒体３とを主要部として構成し、該棒状体２には鉤状の突起４を複数設けて、また、該円筒体３には内周に滑り止めの凸部５を複数設けて形成し、さらには、該円筒体３部分を変形自在な弾性素材製とし、また、該棒状体２部分を硬性素材製として、且つ、いずれの部位も抗菌作用が期待できる物質を含有した素材であって、これらを一体に接合成形して成し、コンパクトで携帯性に優れ、ドアを開閉させるための取っ手等の握持対象のみならず、多目的で直接接触せずに支持利用できる仕組みにした。【選択図】図１
0003229098.tif 000002
【実用新案登録請求の範囲】
【請求項１】
非接触握持具は、棒状体と該棒状体の一端に備わる円筒体とを主要部として構成し、該棒状体には鉤状の突起を複数設けて、また、該円筒体には内周に滑り止めの凸部を複数設けて形成し、さらには、該円筒体部分を変形自在な弾性素材製とし、また、該棒状体部分を硬性素材製として、且つ、いずれの部位も抗菌作用が期待できる物質を含有した素材であって、これらを一体に接合成形して成し、コンパクトで携帯性に優れ、ドアを開閉させるための取っ手等の握持対象のみならず、多目的で直接接触せずに支持利用できる仕組みにしたことを特徴とする非接触握持具。
【考案の詳細な説明】
【技術分野】
【０００１】  本考案は、ドア開閉等の補助具に関し、詳しくは感染症予防対策に係る非接触握持具に関する。
【背景技術】
【０００２】  新型コロナウイルスの感染拡大が社会問題となり、感染経路の一つとされるドアの取っ手等への接触に関して、握持対象に直接触れない感染症予防対策グッズなどが市販されており容易に購入できる。【０００３】  また、インターネット上に於いても、多くの感染症予防対策グッズを見つけることができる。
【考案の概要】
【考案が解決しようとする課題】
【０００４】  しかしながら、従来品に於いては簡易的なものが多く、また性能格差も大きいことから改良の余地を残していた。【０００５】  本考案は、上記従来有する問題点に鑑み、コンパクトで携帯性に優れ、ドアを開閉させるための取っ手等の握持対象に直接接触せずに利用できる非接触握持具を提供しようとするものである。
【課題を解決するための手段】
【０００６】  非接触握持具１は、棒状体２と該棒状体２の一端に備わる円筒体３とを主要部として構成し、該棒状体２には鉤状の突起４を複数設けて、また、該円筒体３には内周に滑り止めの凸部５を複数設けて形成し、さらには、該円筒体３部分を変形自在な弾性素材製とし、また、該棒状体２部分を硬性素材製として、且つ、いずれの部位も抗菌作用が期待できる物質を含有した素材であって、これらを一体に接合成形して成し、コンパクトで携帯性に優れ、ドアを開閉させるための取っ手等の握持対象のみならず、多目的で直接接触せずに支持利用できる仕組みにした。
【考案の効果】
【０００７】  本考案によれば、ドアの取っ手等に円筒体部分を変形自在に装着できることから、握持対象に直接接触することなく、容易にドア開閉の操作が可能な非接触握持具が提供される。【０００８】  また、本考案によれば、鉤状の突起が付いた棒状体部分をうまく使うことで、直接接触することなく、容易に多目的な支持利用が可能な非接触握持具が提供される。【０００９】  また、本考案によれば、コンパクトで携帯性に優れた形状であることから容易に持ち運び可能な非接触握持具が提供される。【００１０】  また、本考案によれば、抗菌作用が期待できる物質を含有した素材を使用していることから、衛生的な非接触握持具が提供される。
【考案を実施するための最良の形態】
【００１１】  以下、本考案の実施の形態について、図面を参照して説明する。
図１・図２に示すように、非接触握持具１は、棒状体２と該棒状体２の一端に備わる円筒体３とを主要部として構成し、該棒状体２には鉤状の突起４を複数設けて、また、該円筒体３には内周に滑り止めの凸部５を複数設けて形成し、さらには、該円筒体３部分を変形自在な弾性素材製とし、また、該棒状体２部分を硬性素材製として、且つ、いずれの部位も抗菌作用が期待できる物質を含有した素材であって、これらを一体に接合成形して成し、コンパクトで携帯性に優れ、ドアを開閉させるための取っ手等の握持対象のみならず、多目的で直接接触せずに支持利用できる仕組みにした。
【図面の簡単な説明】
【００１２】
【図１】  本考案に於ける非接触握持具の略外観を表す平面図である。
【図２】  図１のＡ−Ｂ矢視断面図である。
【符号の説明】
【００１３】  １    非接触握持具
２    棒状体
３    円筒体
４    鉤状の突起
５    滑り止めの凸部
【図１】
0003229098.tif 000003
【図２】
0003229098.tif 000004
(57)【要約】【課題】オセロゲーム（オセロは登録商標）やリバーシゲームに代表される駒挟みゲームにおいて、遊び方や視覚的な情報が複雑になりすぎることなく、最後まで勝敗がつきにくくより深いゲームを楽しむことを可能にする駒挟みゲーム用駒を提供する。【解決手段】オセロゲームやリバーシゲームに代表される通常の駒挟みゲームで使用する駒に、新たに表面及び裏面に先手側及び後手側半々であることを表したデザインを施した駒を複数個加えることで、従来の駒挟みゲームにはなかった駆け引きがうまれ、最後まで勝敗がつきにくくなることで興趣性を向上させた。【選択図】図１
0003229103.tif 000002
【実用新案登録請求の範囲】
【請求項１】
駒の表面及び裏面が先手側及び後手側半々であることを表したデザインにすることを特徴とする駒挟みゲーム用の駒。
【考案の詳細な説明】
【技術分野】
【０００１】
本発明は、オセロゲームやリバーシゲームに代表される駒挟みゲームに使用される駒に関するものである。
【背景技術】
【０００２】
駒挟みゲームの代表であるオセロゲームは、一方の表面が白色、他方の表面が黒色である多数個の２色駒を碁盤目状の盤の枡目のなかに並べて遊ぶ代表的な駒挟みゲームで、自分の色の駒で相手の色の駒を挟んで自分の色に反転させ、最終的な盤上での駒の色の多さを競うというルールが単純明快なゲームである。そのため、世界各国で老若男女を問わず広く親しまれているが、その一方で遊び方が単純過ぎるために興趣性に欠けるという指摘があった。
【０００３】
このため、多くの有彩色を使った駒を使用する盤上駒挟みゲームとしてオランダのゴテリア社から「ロリット」、株式会社メガハウスから「みんなでオセロ」や様々な種類の仕掛けを裏側に施した「ワナをしかけろ！！トラップオセロ」などが市販されている。また、新しいデザインや機能を持った駒として、駒に所定のマークを記載した駒を数個用い、それをひっくり返してしまったプレイヤーにペナルティーを課すもの（特許文献１）や、有彩色の駒でゲームを華やかにしたもの（特許文献２）などが提示されている。
【０００４】
これらの駒挟みゲームは、駒の種類や色を増やすことにより興趣性が向上する一面はあるものの、遊び方や視覚的な情報の複雑化が避けられないという本質的な問題がある。
【０００５】
つまり、オセロゲームより駒の種類や色を増した駒挟みゲームは、ルールやデザインを複雑化することにより興趣性を高めている反面、老若男女を問わず広く受け入れられている最大の理由である遊び方とデザインの単純明快さが失われてしまったのである。
【先行技術文献】
【特許文献】
【０００６】
【特許文献１】特開２０１３−６６６８４号公報
【特許文献２】特開２０１３−９０８４０号公報
【考案の概要】
【考案が解決しようとする課題】
【０００７】
本発明の目的は、オセロゲームやリバーシゲームに代表される駒挟みゲームにおいて、1種類の駒を追加するだけで遊び方やデザインを複雑にしすぎることなく興趣性を高めることができる駒挟みゲーム用駒を提供することにある。
【課題を解決するための手段】
【０００８】
上記目的を達成するために、本発明の駒挟みゲーム用駒は、プレイヤー同士が直接又はコンピューターネットワークを介して対局する駒挟みゲーム、或いはプレイヤーがゲーム機上、又はパソコンなどの情報端末上でゲームソフトやゲームプログラム及びAIと対局するバーチャル世界の駒挟みゲームに使用される駒である。また、駒の表面及び裏面に先手側及び後手側半々であることを表したデザインを施し、使い方は駒を置くときは指し手側の駒として使用し、盤上に本発明の駒がある場合、指し手が指定した側の駒として使用でき、ゲームが終了し手駒を数えるときは先手側及び後手側のどちらの手数としても数えないことを特徴としている。
【０００９】
先手側及び後手側半々であることを表したデザインとは、先手側と後手側のデザインが約５０％（誤差２０％程度を認める）づつ施されたものか、文字や記号で先手側と後手側が半々であることを表したものである。
【００１０】
本発明の駒を使用すると、ゲームが進行しても先手側後手側のどちらにもなる駒があるため最後まで勝敗が読みずらい。一方、その他は従来どおりのゲーム方法なのでプレイヤーはスムーズにゲームを進行できる。その結果、小さな子供や老人なども従来どおり参加できながら、新たなワクワク感をゲームの最後まで得ることが可能になる。
【考案の効果】
【００１１】
本発明の駒は、様々な人が従来通り簡単に駒挟みゲームを進めることができながら、新たな駆け引きを生み出し、更に最後まで勝敗がわかりにくくなった事によりゲームの興趣性を向上させることができる。
【図面の簡単な説明】
【００１２】
【図１】本発明の実施形態の一例を示す駒の構成図である。
【図２】本発明の遊び方の説明図である。
【図３】本発明のゲーム途中の様子の説明図である。
【図４】本発明の駒の概念に基づく駒のデザイン例である。
【考案を実施するための形態】
【００１３】
以下に本発明の実施形態を説明する。
【００１４】
本発明において、ゲームの駒は表面及び裏面が先手側及び後手側半々であることを表したデザインとする（図１参照）。
【００１５】
本発明の駒を用いたゲームの進行は、リバーシゲームに準じて行う。ただし、予め数を決めておいた複数個の本発明の駒を同数の手持ちの駒と置き換えてからゲームを開始する。本発明の駒は、指すときは指し手側の駒として使用する（図２参照）。
【００１６】
盤上に本発明の駒がある場合、指し手が指定した側の駒として使用できる（図３参照）。お互いに相手駒を反転できなくなるか、盤上が全て駒で埋まった場合にゲームは終了し、盤上に有る駒が多いほうが勝者になる。このとき、本発明の駒はどちらの駒数にも数えない。
【００１７】
なお、本発明の趣旨は対局中は先手側後手側のどちらにもなり、最後はどちらにも属さない駒の提供にあり、その形状や色、塗分け方は例で示すとおり任意に設定できるものとする（図４参照）。
【図１】
0003229103.tif 000003
【図２】
0003229103.tif 000004
【図３】
0003229103.tif 000005
【図４】
0003229103.tif 000006
【手続補正書】
【提出日】令和2年9月9日(2020.9.9)
【手続補正１】
【補正対象書類名】実用新案登録請求の範囲
【補正対象項目名】全文
【補正方法】変更
【補正の内容】
【実用新案登録請求の範囲】
【請求項１】
駒の表面及び裏面が、先手側及び後手側半分ずつであることを表したデザインを有することを特徴とする駒挟みゲーム用の駒。